(57)【要約】【課題】代金支払機における代金の支払いをスムーズに行うことができるＰＯＳシステムを提供する。【解決手段】ＰＯＳシステムは、商品の登録処理を実行する商品登録機２０と、登録処理の実施によって生成された代金データに基づいて代金の支払処理を実行する代金支払機３０と、を備える。商品登録機２０は、タッチパネルを構成する店員用表示部２０５を有し、この店員用表示部２０５では、決済種別を選択する操作が行われる。商品登録機２０は、通信部２０８を有し、この通信部２０８は、選択された決済種別に関する決済種別情報を代金支払機３０へ送信する。代金支払機３０は、送信された決済種別情報の決済種別を、支払処理の決済種別とする。【選択図】図６
2016218750.tif 000002
【特許請求の範囲】
【請求項１】
商品の登録処理を実行する商品登録機と、
前記登録処理の実施によって生成された代金データに基づいて代金の支払処理を実行する代金支払機と、を備え、
前記商品登録機は、
決済種別を選択する操作が行われる選択部と、
前記選択部で選択された決済種別に関する決済種別情報を前記代金支払機へ送信する決済種別情報送信部と、を有し、
前記代金支払機は、前記決済種別情報の決済種別を前記支払処理の決済種別とする、ＰＯＳシステム。
【請求項２】
前記代金支払機は、前記支払処理の前記決済種別を変更する操作が行われる支払機側変更部を有する、請求項１記載のＰＯＳシステム。
【請求項３】
前記商品登録機は、
前記選択部で選択された決済種別を変更する操作が行われる登録機側変更部と、
前記登録機側変更部で変更された決済種別に関する変更情報を前記代金支払機へ送信する変更情報送信部と、を有し、
前記代金支払機は、前記変更情報の決済種別を前記支払処理の決済種別とする、請求項１又は２記載のＰＯＳシステム。
【請求項４】
前記商品登録機は、店員によって操作され、
前記代金支払機は、客によって操作される、請求項１〜３の何れか一項記載のＰＯＳシステム。
【発明の詳細な説明】
【技術分野】
【０００１】
本発明は、セミオート式のＰＯＳ（Point  of  Sales）システムに関する。
【背景技術】
【０００２】
商品の登録処理を実行する商品登録機と、登録処理の実施によって生成された代金データに基づいて代金の支払処理を実行する代金支払機と、を備えるセミオート式のＰＯＳシステムが知られている（例えば、特許文献１参照）。セミオート式のＰＯＳシステムでは、店員が商品登録機を操作し、客が代金支払機を操作することにより、代金の支払いに要する時間の短縮化が図られている。
【先行技術文献】
【特許文献】
【０００３】
【特許文献１】特開２０１４−２２００１８号公報
【発明の概要】
【発明が解決しようとする課題】
【０００４】
上述したようなセミオート式のＰＯＳシステムでは、代金支払機において、客は、現金、クレジットカード及び電子マネー等の複数の決済種別の少なくとも一つを選択し、選択した当該決済種別で代金の支払いを行う。このとき、客は、例えば代金支払機を使い慣れていない場合、決済種別を選択するのに戸惑ってしまい、代金の支払いをスムーズに行うことができないおそれがある。
【０００５】
そこで、本発明は、代金支払機における代金の支払いをスムーズに行うことができるＰＯＳシステムを提供することを目的とする。
【課題を解決するための手段】
【０００６】
本発明のＰＯＳシステムは、商品の登録処理を実行する商品登録機と、登録処理の実施によって生成された代金データに基づいて代金の支払処理を実行する代金支払機と、を備え、商品登録機は、決済種別を選択する操作が行われる選択部と、選択部で選択された決済種別に関する決済種別情報を代金支払機へ送信する決済種別情報送信部と、を有し、代金支払機は、決済種別情報の決済種別を支払処理の決済種別とする。
【０００７】
このＰＯＳシステムによれば、店員が操作する商品登録機にて、代金支払機で実行する支払処理の決済種別を選択できる。これにより、客は代金支払機において決済種別を選択する必要が無くなり、例えば代金支払機を使い慣れていない客であっても、代金支払機における代金の支払いをスムーズに行うことが可能となる。
【０００８】
本発明のＰＯＳシステムでは、代金支払機は、支払処理の決済種別を変更する操作が行われる支払機側変更部を有してもよい。これにより、客は、代金支払機にて支払処理の決済種別を変更することが可能となる。
【０００９】
本発明のＰＯＳシステムでは、商品登録機は、選択部で選択された決済種別を変更する操作が行われる登録機側変更部と、登録機側変更部で変更された決済種別に関する変更情報を代金支払機へ送信する変更情報送信部と、を有し、代金支払機は、変更情報の決済種別を支払処理の決済種別としてもよい。これにより、代金支払機へ決済種別情報が送信された後であっても、店員は商品登録機から当該代金支払機における支払処理の決済種別を変更できる。
【００１０】
本発明のＰＯＳシステムでは、商品登録機は、店員によって操作され、代金支払機は、客によって操作されてもよい。これにより、商品の代金の支払いに要される時間を短縮化することが可能となる。
【発明の効果】
【００１１】
本発明によれば、代金支払機における代金の支払いをスムーズに行うことが可能となる。
【図面の簡単な説明】
【００１２】
【図１】本発明の一実施形態のＰＯＳシステムの構成を示すブロック図である。
【図２】図１のＰＯＳシステムの商品登録機の構成を示すブロック図である。
【図３】図２の商品登録機の外観斜視図である。
【図４】図１のＰＯＳシステムの代金支払機の構成を示すブロック図である。
【図５】図４の代金支払機の外観斜視図である。
【図６】（ａ）は、図２の商品登録機の要部を示すブロック図である。（ｂ）は、図４の代金支払機の要部を示すブロック図である。
【図７】（ａ）は、図４の代金支払機の要部において決済種別の変更が禁止された状態を示すブロック図である。（ｂ）は、図４の代金支払機の要部において管理者モード時を示すブロック図である。
【図８】（ａ）は、図１のＰＯＳシステムにおける支払処理に係る動作の第１例を示すシーケンス図である。（ｂ）は、図１のＰＯＳシステムにおける支払処理に係る動作の第２例を示すシーケンス図である。
【図９】（ａ）は、図１のＰＯＳシステムにおける支払処理に係る動作の第３例を示すシーケンス図である。（ｂ）は、図１のＰＯＳシステムにおける支払処理に係る動作の第４例を示すシーケンス図である。
【発明を実施するための形態】
【００１３】
以下、本発明の実施形態について、図面を参照して詳細に説明する。なお、各図において同一又は相当部分には同一符号を付し、重複する説明を省略する。
【００１４】
図１に示されるように、ＰＯＳシステム１は、ストアコントローラ１０と、複数の商品登録機２０と、複数の代金支払機３０と、を備えている。ストアコントローラ１０、各商品登録機２０及び各代金支払機３０は、有線又は無線のＬＡＮ（Local  Area  Network）２によって相互に接続されている。
【００１５】
ＰＯＳシステム１は、スーパーマーケット等の店舗に構築されたセミオート式のＰＯＳシステムである。つまり、ＰＯＳシステム１において、各商品登録機２０は、店員によって操作され、商品の登録処理を実行し、各代金支払機３０は、客によって操作され、登録処理の実施によって生成された代金データに基づいて代金の支払処理を実行する。なお、店員は、ＰＯＳシステム１が導入されている店舗の従業者等及び使用者等を含み、広義には、当該店舗の関係業者を含む。客とは、商品を購入する及び／又は購入した者を含み、広義には、店舗に対して代金の授受を行う及び／又は行った者を含む。
【００１６】
ストアコントローラ１０は、ＰＯＳシステム１を制御するコンピュータであり、商品マスタ等の種々の情報を管理する上位装置である。ストアコントローラ１０は、各商品登録機２０及び各代金支払機３０に商品マスタを適宜送信する。商品マスタとは、各商品についての商品情報（商品の識別情報、並びに、商品名称及び販売価格に関する情報等）を格納したファイルである。商品マスタは、適宜更新される。
【００１７】
図２に示されるように、商品登録機２０は、ＣＰＵ（Central  Processing  Unit）２０１と、ＲＯＭ（Read  Only  Memory）２０２と、ＲＡＭ（Random  Access  Memory）２０３と、スキャナ２０４と、店員用表示部２０５と、客用表示部２０６と、操作部２０７と、通信部２０８と、スピーカ２０９と、印刷部２１０と、を備えている。これらは、バス２１５によって相互に接続されている。なお、商品登録機２０の外観は、図３に示されるとおりである。
【００１８】
ＣＰＵ２０１は、ＲＯＭ２０２に記憶されているプログラムを読み出して実行することにより、商品登録機２０の動作を制御する。ＲＯＭ２０２は、商品登録機２０の動作を制御するためのプログラムを記憶している。ＲＡＭ２０３は、ストアコントローラ１０から送信された商品マスタ、スキャナ２０４によって読み取られたバーコード（商品コード）に基づいて商品マスタから取得された商品情報、及び操作履歴に関する情報等を随時記憶する。
【００１９】
スキャナ２０４は、商品に付されているバーコード等を光学的に読み取る。店員用表示部２０５は、店員に対し、スキャナ２０４によって読み取られたバーコードに対応する商品名称及び販売価格等を表示する。客用表示部２０６は、客に対し、スキャナ２０４によって読み取られたバーコードに対応する商品名称及び販売価格等を表示する。なお、店員用表示部２０５は、タッチパネルを構成することで、後述するように、決済種別を選択するための選択部、決済種別を変更するための登録機側変更部、及び代金支払機３０側での決済種別の変更を禁止するための変更禁止部としても機能する。また、店員用表示部２０５及び客用表示部２０６は、タッチパネルを構成することで、商品登録機２０を操作するための操作部としても機能する。
【００２０】
操作部２０７は、商品登録機２０を動作させるための各種の操作ボタン（小計キー、現計キー、置数キー、訂正キー及びプリセットキー等）を有している。通信部２０８は、ＬＡＮ２を介して他の機器と通信を行う。スピーカ２０９は、商品登録機２０の操作音、及び各種の音声等を出力する。印刷部２１０は、適宜、各種の文字等を紙片に印刷して当該紙片を発行する。
【００２１】
以上のように構成された商品登録機２０においては、店員による操作の下、客が購入しようとしている商品に付されたバーコードがスキャナ２０４によって読み取られると、ＣＰＵ２０１によって商品マスタから商品情報が取得されて代金データが生成される（登録処理の実施）。代金データには、客が購入しようとしている全ての商品についての単価及び数量、並びに、合計金額等に関する情報が含まれている。
【００２２】
そして、生成された代金データがいずれか１つの代金支払機３０によって取得されると、客に対し、複数の代金支払機３０のうち代金データを取得した代金支払機３０（すなわち、客が代金の支払いを行うべき代金支払機３０）が報知される。商品登録機２０では、客用表示部２０６及び印刷部２１０が報知部として機能する。具体的には、客用表示部２０６は、例えば、各代金支払機３０に付された識別番号のうち、代金データを取得した代金支払機３０の識別番号を表示する。印刷部２１０は、代金データを取得した代金支払機３０の識別番号、及び代金データの識別情報を示すバーコード等を紙片に印刷して、当該紙片（会計券）を発行する。
【００２３】
なお、スピーカ２０９が報知部として機能してもよい。その場合、スピーカ２０９は、例えば、各代金支払機３０に付された識別番号のうち、代金データを取得した代金支払機３０の識別番号を示す音声を出力する。商品登録機２０では、客用表示部２０６、スピーカ２０９及び印刷部２１０の少なくとも１つを報知部として機能させることができる。
【００２４】
図４に示されるように、代金支払機３０は、ＣＰＵ３０１と、ＲＯＭ３０２と、ＲＡＭ３０３と、スキャナ３０４と、表示部３０５と、操作部３０７と、通信部３０８と、スピーカ３０９と、印刷部３１０と、決済部３１１と、サインポール３１２と、人感知センサ３１３と、カメラ３１４と、認証部３１５と、を備えている。これらは、バス３２０によって相互に接続されている。なお、代金支払機３０の外観は、図５に示されるとおりである。
【００２５】
ＣＰＵ３０１は、ＲＯＭ３０２に記憶されているプログラムを読み出して実行することにより、代金支払機３０の動作を制御する。ＲＯＭ３０２は、代金支払機３０の動作を制御するためのプログラムを記憶している。ＲＡＭ３０３は、ストアコントローラ１０から送信された商品マスタ、及び操作履歴に関する情報等を随時記憶する。
【００２６】
スキャナ３０４は、会計券に印刷されたバーコード等を光学的に読み取る。表示部３０５は、客に対し、客が代金の支払いを行うための操作手順等を表示する。なお、表示部３０５は、タッチパネルを構成することで、後述するように、決済種別を変更するための支払機側変更部、及び店員を呼び出すための呼出部としても機能する。また、表示部３０５は、タッチパネルを構成することで、代金支払機３０を操作するための操作部としても機能する。
【００２７】
操作部３０７は、代金支払機３０を動作させるための各種の操作ボタン（呼出ボタン、訂正キー及びプリセットキー等）を有している。通信部３０８は、ＬＡＮ２を介して他の機器と通信を行う。スピーカ３０９は、代金支払機３０の操作音、及び各種の音声等を出力する。印刷部３１０は、客が代金の支払いを行った際に、客に対し、購入した商品の一覧、各商品の金額、合計金額、受領金額及び釣り金額等を紙片に印刷して当該紙片（レシート）を発行する。
【００２８】
決済部３１１は、紙幣投入兼排出口３１１ａ、硬貨投入口３１１ｂ、硬貨排出口３１１ｃ、クレジットカード投入兼排出口３１１ｄ及び電子マネーリーダ３１１ｅ、並びに、それらを制御する制御部（図示省略）を有している。
【００２９】
サインポール３１２は、複数色の表示灯を点灯又は点滅させることで、客が代金の支払いを行うための操作の実施が可能であること、及び何らかの異常が発生していること等を報知する。人感知センサ３１３は、代金支払機３０前の所定領域内に存在する客等を検知する。カメラ３１４は、代金支払機３０前の所定領域内に存在する客等を撮像する。認証部３１５は、店員を認証する操作が行われる。認証部３１５は、店員のＩＤカードを読み取るカードリーダを有している。なお、認証部３１５は、カードリーダに代えてもしくは加えて、例えば店員の生体情報を利用して店員を認証する生体認証部、及び／又は、パスワードの入力により店員を認証するパスワード入力部を有していてもよい。
【００３０】
以上のように構成された代金支払機３０においては、登録処理の実施によって生成された代金データがＣＰＵ３０１によって取得されると、客に対し、代金データを取得した代金支払機３０（すなわち、客が代金の支払いを行うべき代金支払機３０）が自機であることが報知される。代金支払機３０では、表示部３０５による文字等の表示、スピーカ３０９による音声の出力、及びサインポール３１２による表示灯の点灯等の少なくとも１つによって、代金データを取得した代金支払機３０が自機であることが報知される。
【００３１】
客は、商品登録機２０による報知、及び代金データを取得した代金支払機３０による報知に従って、代金データを取得した代金支払機３０に向かう。そして、代金支払機３０前の所定領域内に入った客が人感知センサ３１３によって検知されると、客が代金の支払いを行うための操作手順の表示が表示部３０５によって開始される。このとき、操作手順を示す音声の出力もスピーカ３０９によって開始される。なお、表示部３０５の画面が客によってタッチされたとき、操作部３０７の何らかのボタンが客によって押下されたとき、及び代金支払機３０前の所定領域内に入った客がカメラ３１４によって撮像されたときのいずれかのときに、操作手順の表示が表示部３０５によって開始されると共に、操作手順を示す音声の出力がスピーカ３０９によって開始されてもよい。
【００３２】
客は、表示部３０５による表示、及びスピーカ３０９による音声の出力に従って、操作部３０７、及びタッチパネルを構成する表示部３０５を介して代金支払機３０を操作し、代金の支払いを行う。具体的には、客は、商品登録機２０において発行された会計券に印刷されたバーコードをスキャナ３０４に読み取らせ、表示部３０５に代金を表示させ、決済部３１１において支払いを行う。代金の支払いは、商品登録機２０で選択もしくは変更又は代金支払機３０で変更された決済種別で行われる（詳しくは後述）。代金の支払いが完了すると、購入した商品の一覧等が印刷されたレシートが印刷部３１０によって発行される。
【００３３】
図６（ａ）に示されるように、本実施形態の商品登録機２０では、店員用表示部２０５の画面Ｇ１上に決済種別選択アイコンＡが表示されている。決済種別選択アイコンＡでは、代金支払機３０における決済方法の種類（決済種別）を選択する操作が行われる。決済種別選択アイコンＡは、複数種の決済種別のアイコンを含む。決済種別選択アイコンＡは、店員によりタッチ操作される。決済種別選択アイコンＡによれば、決済種別として、例えば、現金での支払、クレジットカードリーダを介したクレジットカードでの支払い、及び、電子マネーリーダを介した電子マネーでの支払いの少なくとも１つを選択することができる。商品登録機２０は、店員により決済種別選択アイコンＡにおいて決済種別が選択されると、選択された決済種別に関する決済種別情報を、代金データを取得した代金支払機３０に対して通信部２０８から送信する。代金支払機３０は、通信部３０８で決済種別情報を受信すると、当該決済種別情報の決済種別を、決済部３１１における支払処理の決済種別とする。
【００３４】
商品登録機２０では、店員用表示部２０５の画面Ｇ１上に決済種別変更アイコンＢが表示されている。決済種別変更アイコンＢでは、決済種別選択アイコンＡで選択された決済種別を変更する操作が行われる。決済種別変更アイコンＢは、複数種の決済種別のアイコンを含む。決済種別変更アイコンＢは、店員によりタッチ操作される。決済種別変更アイコンＢによれば、決済種別選択アイコンＡで選択済みの決済種別について、例えば、現金での支払、クレジットカードリーダを介したクレジットカードでの支払い、及び、電子マネーリーダを介した電子マネーでの支払いの少なくとも１つへ変更することができる。商品登録機２０は、店員により決済種別変更アイコンＢにおいて決済種別が変更されると、変更された決済種別に関する変更情報を、決済種別情報を送信した代金支払機３０に対して通信部２０８から送信する。代金支払機３０は、通信部３０８で変更情報を受信すると、決済種別情報の決済種別に代えて当該変更情報の決済種別を、決済部３１１における支払処理の決済種別とする。
【００３５】
図４及び図６（ｂ）に示されるように、代金支払機３０では、表示部３０５の画面Ｇ２上に呼出アイコンＣが表示されている。代金支払機３０では、客により呼出アイコンＣがタッチされ、及び／又は、操作部３０７の呼出ボタンが押下されると、商品登録機２０のスピーカ２０９（図２参照）からの音声の出力、及び／又は、サインポール３１２による表示灯の点灯等によって、店員が当該代金支払機３０に呼び出される。
【００３６】
代金支払機３０では、表示部３０５の画面Ｇ２上に決済種別変更アイコンＤが表示されている。決済種別変更アイコンＤでは、決済種別を変更する操作が行われる。決済種別変更アイコンＤは、複数種の決済種別のアイコンを含む。決済種別変更アイコンＤは、客によりタッチ操作される。決済種別変更アイコンＤによれば、商品登録機２０側にて選択又は変更された決済種別について、例えば、現金での支払、クレジットカードリーダを介したクレジットカードでの支払い、及び、電子マネーリーダを介した電子マネーでの支払いの少なくとも１つへ変更することができる。代金支払機３０は、客により決済種別変更アイコンＤで決済種別が変更されると、当該決済種別を決済部３１１における支払処理の決済種別とする。
【００３７】
図６（ａ）に戻り、商品登録機２０では、店員用表示部２０５の画面Ｇ１上に決済種別変更禁止アイコンＥが表示されている。決済種別変更禁止アイコンＥでは、代金支払機３０における決済種別の変更を禁止する操作が行われる。決済種別変更禁止アイコンＥは、店員によりタッチ操作される。商品登録機２０は、店員により決済種別変更禁止アイコンＥがタッチされると、決済種別情報を送信した代金支払機３０に対して変更禁止指令を通信部２０８から送信する。代金支払機３０は、通信部３０８によって変更禁止指令を受信すると、図７（ａ）に示されるように、表示部３０５の画面Ｇ２上に決済種別変更アイコンＤを表示させず、決済種別変更アイコンＤによる決済種別の変更を禁止する。
【００３８】
図７（ｂ）に示されるように、代金支払機３０では、店員により認証部３１５が操作されて店員が認証されると、通常モードから管理者モードに切り替わり、表示部３０５に管理者用画面Ｇ０が表示される。換言すると、支払処理時等の通常時に係る処理を実行する通常モード（第１のモード）から、管理時に係る処理を実行する管理者モード（第２のモード）へ切り替わり、支払処理時に表示される通常画面とは異なる管理用の画面（いわゆる裏画面）が管理者用画面Ｇ０として表示される。
【００３９】
管理者用画面Ｇ０には、領収金額入力パネルＦが表示されている。領収金額入力パネルＦは、代金支払機３０の決済部３１１では自動対応できない決済種別（例えば、商品券及び／又はクーポン等を利用した決済）を選択する場合に、代金支払機３０側で領収金額を入力することを可能にする。代金支払機３０では、店員により、表示部３０５の管理者用画面Ｇ０上の領収金額入力パネルＦを介して、領収金額が直接入力される。代金支払機３０は、直接入力された当該領収代金に基づいて、決済部３１１により支払処理を実行する。
【００４０】
以上のような商品登録機２０において、タッチパネルを構成する店員用表示部２０５は、決済種別を選択する操作が行われる選択部、決済種別を変更する操作が行われる登録機側変更部、及び、代金支払機３０での決済種別の変更を禁止する操作が行われる変更禁止部としても機能する。通信部２０８は、決済種別情報を代金支払機３０へ送信する決済種別情報送信部、及び、変更情報を代金支払機３０へ送信する変更情報送信部としても機能する。代金支払機３０において、タッチパネルを構成する表示部３０５は、決済種別を変更する操作が行われる支払機側変更部、及び、店員を呼び出す操作が行われる呼出部としても機能する。
【００４１】
次に、図８及び図９を参照しつつ、ＰＯＳシステム１の支払処理に係る動作の例を説明する。
【００４２】
図８（ａ）に示されるように、商品登録機２０において、例えば商品登録処理の終了後、店員は、店員用表示部２０５の画面Ｇ１上の決済種別選択アイコンＡをタッチ操作し、客の要望に応じた少なくとも１つの決済種別を選択する（Ｓ１）。商品登録機２０は、選択された決済種別に関する決済種別情報を、通信部２０８によって、代金データの送信先と同じ代金支払機３０へ送信する（Ｓ２）。代金支払機３０は、通信部３０８によって決済種別情報を受信する（Ｓ３）。そして、代金支払機３０は、決済種別情報の決済種別を支払処理の決済種別として、決済部３１１にて支払処理を実行する（Ｓ４）。
【００４３】
ここで、店員は、決済種別を選択した後でも、商品登録機２０側で決済種別を変更することができる。すなわち、例えば図８（ｂ）に示されるように、商品登録機２０において、決済種別情報を送信した上記Ｓ２の後、店員は、店員用表示部２０５の画面Ｇ１上の決済種別変更アイコンＢをタッチ操作し、決済種別を変更する（Ｓ５）。商品登録機２０は、変更された決済種別に関する変更情報を、通信部２０８によって代金支払機３０へ送信する（Ｓ６）。代金支払機３０は、通信部３０８によって変更情報を受信する（Ｓ７）。そして、代金支払機３０は、変更情報の決済種別を支払処理の決済種別として、決済部３１１にて支払処理を実行する（Ｓ８）。
【００４４】
客は、代金の支払いの際、商品登録機２０で選択又は変更された決済種別を、代金支払機３０側で変更することができる。すなわち、例えば図９（ａ）に示されるように、代金支払機３０において、決済種別情報を受信した上記Ｓ３の後、客は、表示部３０５の画面Ｇ２上の決済種別変更アイコンＤをタッチ操作し、決済種別を変更する（Ｓ１１）。そして、代金支払機３０は、変更後の決済種別を支払処理の決済種別として、決済部３１１にて支払処理を実行する（Ｓ１２）。
【００４５】
客は、代金支払機３０において、商品券及び／又はクーポンを利用した決済等の、決済部３１１では自動対応できない決済種別により支払いを行いたい場合がある。このような支払いは、店員を呼び出し、当該店員が領収金額を直接入力することで実現できる。すなわち、例えば図９（ｂ）に示されるように、代金支払機３０において、決済種別情報を受信した上記Ｓ３の後、客は、表示部３０５上の呼出アイコンＣ及び／又は操作部３０７の呼出ボタンを操作し、店員を当該代金支払機３０に呼び出す（Ｓ２１）。
【００４６】
呼び出された店員は、所持するＩＤカードを認証部３１５のカードリーダで読み取り、代金支払機３０にて自身を認証する（Ｓ２２）。なお、認証部３１５が生体認証部及び／又はパスワード入力部を含む場合には、ＩＤカードの読取りに代えてもしくは加えて、生体認証及び／又はパスワード入力により店員の認証を行ってもよい。これにより、代金支払機３０では、通常モードから管理者モードへ切り替わり、表示部３０５に管理者用画面Ｇ０が表示される（Ｓ２３）。
【００４７】
店員は、管理者用画面Ｇ０上の領収金額入力パネルＦを介して、領収金額を直接入力する（Ｓ２４）。例えば店員は、商品券及び／又はクーポンに応じた割引き後の金額を領収金額として直接入力する。そして、代金支払機３０は、直接入力された領収金額について、決済種別情報の決済種別を支払処理の決済種別として、決済部３１１にて支払処理を実行する（Ｓ２５）。
【００４８】
以上、ＰＯＳシステム１では、商品登録機２０は、タッチパネルを構成する店員用表示部２０５を有し、この店員用表示部２０５により決済種別を選択する操作が行われる。選択された決済種別に関する決済種別情報は通信部２０８によって代金支払機３０へ送信され、代金支払機３０では、決済種別情報の決済種別が支払処理の決済種別とされる。このように、ＰＯＳシステム１によれば、店員が操作する商品登録機２０にて、代金支払機３０で実行する支払処理の決済種別を選択できる。これにより、客は代金支払機３０において決済種別を選択する必要が無くなり、例えば代金支払機３０を使い慣れていない客であっても、代金支払機３０における代金の支払いをスムーズに行うことが可能となる。
【００４９】
ＰＯＳシステム１の代金支払機３０は、タッチパネルを構成する表示部３０５を有し、この表示部３０５により決済種別を変更する操作が行われる。これにより、客は、代金支払機３０にて支払処理の決済種別を変更することが可能となる。
【００５０】
ＰＯＳシステム１の商品登録機２０は、タッチパネルを構成する店員用表示部２０５により、既に選択された決済種別を変更する操作が行われる。変更後の決済種別に関する変更情報は通信部２０８によって代金支払機３０へ送信され、代金支払機３０では、変更情報の決済種別が支払処理の決済種別とされる。これにより、代金支払機３０へ決済種別情報が送信された後でも、例えば客からの要求があった場合又は店員の操作ミスがあった場合等に、店員は商品登録機２０から代金支払機３０における支払処理の決済種別を変更できる。
【００５１】
ＰＯＳシステム１では、商品登録機２０は店員によって操作され、代金支払機３０は客によって操作される。このようなＰＯＳシステム１は、セミオート式ＰＯＳシステムを構成し、商品の代金の支払いに要される時間を短縮化することが可能となる。
【００５２】
以上、本発明の一実施形態について説明したが、本発明は、上記実施形態に限定されるものではない。
【００５３】
上記実施形態では、タッチパネルを構成する店員用表示部２０５が選択部及び登録機側変更部として機能したが、これに限定されない。選択部及び登録機側変更部は、店員用表示部２０５とは別のタッチパネルであってもよいし、タッチパネル以外の手段であってもよい。操作部２０７が選択部及び登録機側変更部として機能してもよい。同様に、タッチパネルを構成する表示部３０５が支払機側変更部として機能したが、支払機側変更部は、表示部３０５とは別のタッチパネルであってもよいし、タッチパネル以外の手段であってもよい。操作部３０７が支払機側変更部として機能してもよい。
【００５４】
上記実施形態では、スキャナ２０４及びスキャナ３０４によりバーコード（一次元コード）を読み取ったが、バーコードに代えて二次元コードを読み取ってもよい。上記実施形態では、表示部３０５上の呼出アイコン及び／又は操作部３０７の呼出ボタンを操作し、店員を当該代金支払機３０に呼び出したが、呼出アイコン及び／又は呼出ボタンによる呼出しは必ずしも必要ではない。例えば代金支払機３０の近くに店員がいる場合や、口頭で店員を呼び出す場合等においては、呼出アイコン及び呼出ボタンは不要となる。
【００５５】
上記実施形態において、商品登録機２０及び代金支払機３０はストアコントローラ１０と接続していなくてもよく、少なくとも商品登録機２０と代金支払機３０との間で通信可能であればよい。上記実施形態では、商品登録機２０から代金支払機３０へ決済種別情報及び変更情報を送信したが、ストアコントローラ１０を介して商品登録機２０から代金支払機３０へ決済種別情報及び／又は変更情報を送信してもよい。
【００５６】
上記実施形態では、商品登録機２０が代金データを生成したが、商品登録機２０によって実行された商品の登録処理に基づいて、ストアコントローラ１０又は代金支払機３０が代金データを生成するようにしてもよい。上記実施形態では、商品登録機２０は店員以外によって操作されてもよいし、代金支払機３０は客以外によって操作されてもよい。
【符号の説明】
【００５７】
１…ＰＯＳシステム、２０…商品登録機、３０…代金支払機、２０５…店員用表示部（選択部，登録機側変更部）、２０８…通信部（決済種別情報送信部，変更情報送信部）、３０５…表示部（支払機側変更部）。
【図１】
2016218750.tif 000003
【図２】
2016218750.tif 000004
【図３】
2016218750.tif 000005
【図４】
2016218750.tif 000006
【図５】
2016218750.tif 000007
【図６】
2016218750.tif 000008
【図７】
2016218750.tif 000009
【図８】
2016218750.tif 000010
【図９】
2016218750.tif 000011